(57)【要約】【課題】健診者の意思を反映した計画表を容易に出力する健診システム等を提供する。【解決手段】サーバは、クライアントから受信した改善目標生活習慣が改善された場合の発症割合である改善後発症割合を取得する手段を具備する。また、サーバは、取得した改善後発症割合をクライアントに送信する手段を具備する。また、クライアントは、受信した改善後発症割合を表示する手段を具備する。また、クライアントは、改善生活習慣の中から改善目標とする生活習慣として最終決定された改善目標生活習慣を入力する手段を具備する。また、クライアントは、入力された改善目標生活習慣をサーバに送信する手段を具備する。また、サーバは、クライアントから受信した改善目標生活習慣を、最終決定された改善目標生活習慣として保存する手段を具備する。保存された改善目標生活習慣は、クライアントの要求に応じて計画表として出力される。【選択図】図１０
2009265861.tif 000002
【特許請求の範囲】
【請求項１】
クライアントとサーバとがネットワークを介して接続され、健康診断の受診者である健診者への指導を支援する健診システムであって、
前記クライアントは、
指導対象の前記健診者の検査結果および問診結果のパターンに基づく生活習慣病の発症割合、並びに、前記生活習慣病ごとに改善が必要な生活習慣である改善生活習慣を前記サーバから受信して表示する手段と、
前記改善生活習慣の中から改善目標とする生活習慣として仮決定された第１の改善目標生活習慣を入力する手段と、
入力した前記第１の改善目標生活習慣を前記サーバに送信する手段と、
を具備し、
前記サーバは、
前記クライアントから受信した前記第１の改善目標生活習慣が改善された場合の発症割合である改善後発症割合を取得する手段と、
取得した前記改善後発症割合を前記クライアントに送信する手段と、
を具備し、
前記クライアントは、更に、
受信した前記改善後発症割合を表示する手段と、
前記改善生活習慣の中から改善目標とする生活習慣として最終決定された第２の改善目標生活習慣を入力する手段と、
入力された前記第２の改善目標生活習慣を前記サーバに送信する手段と、
を具備し、
前記サーバは、更に、
受信した前記第２の改善目標生活習慣を反映した行動目標を前記クライアントに送信する手段と、
を具備することを特徴とする健診システム。
【請求項２】
前記クライアントが、更に、
前記サーバから受信した前記行動目標を表示する手段と、
表示されている前記行動目標を計画表として出力する手段と、
を具備することを特徴とする請求項１に記載の健診システム。
【請求項３】
クライアントとネットワークを介して接続され、健康診断の受診者である健診者への指導を支援する健診システムに用いられるサーバであって、
指導対象の前記健診者の検査結果および問診結果のパターンに基づく生活習慣病の発症割合、並びに、前記生活習慣病ごとに改善が必要な生活習慣である改善生活習慣を前記クライアントに送信する手段と、
前記クライアントから受信する、前記改善生活習慣の中から改善目標とする生活習慣として仮決定された第１の改善目標生活習慣が改善された場合の発症割合である改善後発症割合を取得する手段と、
取得した前記改善後発症割合を前記クライアントに送信する手段と、
を具備し、
更に、前記クライアントから受信する、前記改善生活習慣の中から改善目標とする生活習慣として最終決定された第２の改善目標生活習慣を反映した計画表を前記クライアントに送信する手段と、
を具備することを特徴とするサーバ。
【請求項４】
コンピュータを、クライアントとネットワークを介して接続され、健康診断の受診者である健診者への指導を支援する健診システムに用いられるサーバとして機能させるプログラムであって、
指導対象の前記健診者の検査結果および問診結果のパターンに基づく生活習慣病の発症割合、並びに、前記生活習慣病ごとに改善が必要な生活習慣である改善生活習慣を前記クライアントに送信する手段と、
前記クライアントから受信する、前記改善生活習慣の中から改善目標とする生活習慣として仮決定された第１の改善目標生活習慣が改善された場合の発症割合である改善後発症割合を取得する手段と、
取得した前記改善後発症割合を前記クライアントに送信する手段と、
を具備し、
更に、前記クライアントから受信する、前記改善生活習慣の中から改善目標とする生活習慣として最終決定された第２の改善目標生活習慣を反映した計画表を前記クライアントに送信する手段と、
を具備するサーバとして機能させるプログラム。
【請求項５】
クライアントとサーバとがネットワークを介して接続され、健康診断の受診者である健診者への指導を支援する健診システムにおいて実行される健診者指導支援方法であって、
前記クライアントが、指導対象の前記健診者の検査結果および問診結果のパターンに基づく生活習慣病の発症割合、並びに、前記生活習慣病ごとに改善が必要な生活習慣である改善生活習慣を前記サーバから受信して表示するステップと、
前記クライアントが、前記改善生活習慣の中から改善目標とする生活習慣として仮決定された第１の改善目標生活習慣を入力するステップと、
前記クライアントが、入力した前記第１の改善目標生活習慣を前記サーバに送信するステップと、
前記サーバが、前記クライアントから受信した前記第１の改善目標生活習慣が改善された場合の発症割合である改善後発症割合を取得するステップと、
前記サーバが、取得した前記改善後発症割合を前記クライアントに送信するステップと、
前記クライアントが、受信した前記改善後発症割合を表示するステップと、
前記クライアントが、前記改善生活習慣の中から改善目標とする生活習慣として最終決定された第２の改善目標生活習慣を入力するステップと、
前記クライアントが、入力された前記第２の改善目標生活習慣を前記サーバに送信するステップと、
前記サーバが、受信した前記第２の改善目標生活習慣を反映した計画表を前記クライアントに送信するステップと、
を含むことを特徴とする健診者指導支援方法。
【発明の詳細な説明】
【技術分野】
【０００１】
本発明は、クライアントとサーバとがネットワークを介して接続され、健康診断の受診者である健診者への指導を支援する健診システム、サーバ、プログラム及び健診者指導支援方法に関する。
【背景技術】
【０００２】
保健師等は、健康診断の受診者である健診者に対して、より健康的な生活を送るための生活習慣改善指導を行っている。生活習慣改善指導は、予め問診をした結果から保健師が判断して指導する、または健診者の日々の生活状態（食事や運動の生活習慣）の記録から生活習慣改善ポイントを発見して指導する、などのように行う。また、保健師は、指導と合わせて、健診者に対する行動目標を立案し、計画表を作成する。
【０００３】
このような生活習慣改善指導を支援する仕組みとして、特許文献１がある。特許文献１の仕組みでは、健診者の検査結果や生活習慣などから生活習慣病の発症リスク、改善すべき生活習慣の抽出を行うことができる。
【特許文献１】特開２００６−１０７２２２号公報
【発明の開示】
【発明が解決しようとする課題】
【０００４】
一方、健康診断の現場では、健診者自らに改善すべき生活習慣（よく噛んで食べる、飲酒量を減らす、外食を減らす等）を決定させて、保健師などが作成する計画表に反映したいというニーズがある。しかしながら、特許文献１を含む従来技術では、健診者自らが決定した改善すべき生活習慣を、保健師などが作成する計画表に反映することができない。
【０００５】
本発明は、前述した問題点に鑑みてなされたもので、その目的は、健診者の意思を反映した計画表を容易に出力する健診システム等を提供することである。
【課題を解決するための手段】
【０００６】
前述した目的を達成するために第１の発明は、クライアントとサーバとがネットワークを介して接続され、健康診断の受診者である健診者への指導を支援する健診システムであって、前記クライアントは、指導対象の前記健診者の検査結果および問診結果のパターンに基づく生活習慣病の発症割合、並びに、前記生活習慣病ごとに改善が必要な生活習慣である改善生活習慣を前記サーバから受信して表示する手段と、前記改善生活習慣の中から改善目標とする生活習慣として仮決定された第１の改善目標生活習慣を入力する手段と、入力した前記第１の改善目標生活習慣を前記サーバに送信する手段と、を具備し、前記サーバは、前記クライアントから受信した前記第１の改善目標生活習慣が改善された場合の発症割合である改善後発症割合を取得する手段と、取得した前記改善後発症割合を前記クライアントに送信する手段と、を具備し、前記クライアントは、更に、受信した前記改善後発症割合を表示する手段と、前記改善生活習慣の中から改善目標とする生活習慣として最終決定された第２の改善目標生活習慣を入力する手段と、入力された前記第２の改善目標生活習慣を前記サーバに送信する手段と、を具備し、前記サーバは、更に、受信した前記第２の改善目標生活習慣を反映した行動目標を前記クライアントに送信する手段と、を具備することを特徴とする健診システムである。
【０００７】
第１の発明は、前記クライアントが、更に、前記サーバから受信した前記行動目標を表示する手段と、表示されている前記行動目標を計画表として出力する手段と、を具備することが望ましい。
【０００８】
第２の発明は、クライアントとネットワークを介して接続され、健康診断の受診者である健診者への指導を支援する健診システムに用いられるサーバであって、指導対象の前記健診者の検査結果および問診結果のパターンに基づく生活習慣病の発症割合、並びに、前記生活習慣病ごとに改善が必要な生活習慣である改善生活習慣を前記クライアントに送信する手段と、前記クライアントから受信する、前記改善生活習慣の中から改善目標とする生活習慣として仮決定された第１の改善目標生活習慣が改善された場合の発症割合である改善後発症割合を取得する手段と、取得した前記改善後発症割合を前記クライアントに送信する手段と、を具備し、更に、前記クライアントから受信する、前記改善生活習慣の中から改善目標とする生活習慣として最終決定された第２の改善目標生活習慣を反映した計画表を前記クライアントに送信する手段と、を具備することを特徴とするサーバである。
【０００９】
第３の発明は、コンピュータを、クライアントとネットワークを介して接続され、健康診断の受診者である健診者への指導を支援する健診システムに用いられるサーバとして機能させるプログラムであって、指導対象の前記健診者の検査結果および問診結果のパターンに基づく生活習慣病の発症割合、並びに、前記生活習慣病ごとに改善が必要な生活習慣である改善生活習慣を前記クライアントに送信する手段と、前記クライアントから受信する、前記改善生活習慣の中から改善目標とする生活習慣として仮決定された第１の改善目標生活習慣が改善された場合の発症割合である改善後発症割合を取得する手段と、取得した前記改善後発症割合を前記クライアントに送信する手段と、を具備し、更に、前記クライアントから受信する、前記改善生活習慣の中から改善目標とする生活習慣として最終決定された第２の改善目標生活習慣を反映した計画表を前記クライアントに送信する手段と、を具備するサーバとして機能させるプログラムである。
【００１０】
クライアントとサーバとがネットワークを介して接続され、健康診断の受診者である健診者への指導を支援する健診システムにおいて実行される健診者指導支援方法であって、前記クライアントが、指導対象の前記健診者の検査結果および問診結果のパターンに基づく生活習慣病の発症割合、並びに、前記生活習慣病ごとに改善が必要な生活習慣である改善生活習慣を前記サーバから受信して表示するステップと、前記クライアントが、前記改善生活習慣の中から改善目標とする生活習慣として仮決定された第１の改善目標生活習慣を入力するステップと、前記クライアントが、入力した前記第１の改善目標生活習慣を前記サーバに送信するステップと、前記サーバが、前記クライアントから受信した前記第１の改善目標生活習慣が改善された場合の発症割合である改善後発症割合を取得するステップと、前記サーバが、取得した前記改善後発症割合を前記クライアントに送信するステップと、前記クライアントが、受信した前記改善後発症割合を表示するステップと、前記クライアントが、前記改善生活習慣の中から改善目標とする生活習慣として最終決定された第２の改善目標生活習慣を入力するステップと、前記クライアントが、入力された前記第２の改善目標生活習慣を前記サーバに送信するステップと、前記サーバが、受信した前記第２の改善目標生活習慣を反映した計画表を前記クライアントに送信するステップと、を含むことを特徴とする健診者指導支援方法である。
【発明の効果】
【００１１】
本発明により、健診者の意思を反映した計画表を容易に出力する健診システム等を提供することができる。
【発明を実施するための最良の形態】
【００１２】
以下図面に基づいて、本発明の実施形態を詳細に説明する。
【００１３】
（１．健診システムの概略構成）
最初に、図１を参照しながら、本発明の実施形態に係る健診システムの概略構成について説明する。図１は、健診システム１の概略構成を示す図である。図１に示すように、健診システム１に係る装置群は、例えば、健康診断を実施する健診施設２に配置される。健診システム１は、健診システムサーバ３、データベースサーバ４、健診クライアント５、保健指導支援システムサーバ７、保健指導クライアント８、プリンタ９等から構成される。健診システム１を利用したワークフローは、大きく分けて、健診システムサーバ３、データベースサーバ４、及び健診クライアント５等によって行われる生活習慣病リスクシミュレーションワークフロー、並びに、保健指導支援システムサーバ７、データベースサーバ４、保健指導クライアント８、及びプリンタ９等によって行われる行動目標・計画表出力ワークフロー、がある。
【００１４】
健診システムサーバ３、データベースサーバ４、健診クライアント５は、ネットワーク６を介して、互いにデータを送受信する。これらのサーバおよびクライアントに係る装置群は、健診者の検査結果や生活習慣などから生活習慣病の発症リスク、改善すべき生活習慣の抽出機能および表示機能、並びに健診者自らが決定した改善すべき生活習慣の入力機能などを提供する。
【００１５】
保健指導支援システムサーバ７、保健指導クライアント８、プリンタ９は、ネットワーク１０を介して、互いにデータを送受信する。これらのサーバおよびクライアントに係る装置群は、保健師などが作成する計画表の出力機能などを提供する。
【００１６】
ネットワーク６とネットワーク１０とは、例えば、同一のＬＡＮ（Ｌｏｃａｌ  Ａｒｅａ  Ｎｅｔｗｏｒｋ）として構成されても良い。また、例えば、外部ネットワーク（例えば、インターネット）を介して接続されても良い。更に、健診システムサーバ３、データベースサーバ４、保健指導支援システムサーバ７などのサーバ群が同一のネットワークに配置され、インターネットを介して、健診クライアント５、保健指導クライアント８などのクライアント群が接続されても良い。このように、本発明の実施形態に係る健診システム１では、ネットワークの形態を問わない。
【００１７】
健診システムサーバ３、データベースサーバ４、健診クライアント５、保健指導支援システムサーバ７、保健指導クライアント８は、コンピュータである。コンピュータは、制御部、記憶部、通信制御部、入力部、表示部などが、バスを介して接続される。但し、コンピュータは、用途、目的に応じて様々な構成を採ることが可能である。例えば、コンピュータは、出力部として、プリンタ９などと接続される。
【００１８】
制御部は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部、ＲＯＭ、記録媒体等に格納されるプログラムをＲＡＭ上のワークメモリ領域に呼び出して実行し、バスを介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶部、ＲＯＭ、記録媒体等からロードしたプログラム、データ等を一時的に保持するとともに、制御部が各種処理を行う為に使用するワークエリアを備える。
【００１９】
記憶部は、ＨＤＤ（ハードディスクドライブ）であり、制御部が実行するプログラム、プログラム実行に必要なデータ等が格納される。プログラムに関しては、ＯＳに相当する制御プログラムや、後述の処理に相当するアプリケーションプログラムが格納されている。これらの各プログラムコードは、制御部により必要に応じて読み出されてＲＡＭに移され、ＣＰＵに読み出されて各種の手段として実行される。
【００２０】
通信制御部は、通信制御装置、通信ポート等を有し、コンピュータとネットワーク間の通信を媒介する通信インタフェースであり、ネットワークを介して、他のコンピュータ間との通信制御を行う。入力部は、データの入力を行い、例えば、キーボード、マウス等のポインティングデバイス、テンキー等の入力装置を有する。表示部は、ＣＲＴモニタ、液晶パネル等のディスプレイ装置、ディスプレイ装置と連携してコンピュータのビデオ機能を実現するための論理回路等（ビデオアダプタ等）を有する。バスは、各装置間の制御信号、データ信号等の授受を媒介する経路である。
【００２１】
（２．健診システム１で用いるデータ）
次に、図２から図６を参照しながら、健診システム１で用いるデータについて説明する。図２は、検査結果階層化テーブル１１に係るデータの一例を示す図である。図２に示すように、検査結果階層化テーブル１１は、検査項目２１、検査（回答）結果２２、階層化フラグ２３等のデータ項目を有する。
【００２２】
検査項目２１は、健診者の属性、健康診断における検査項目などである。尚、健診者の属性は、本来的な検査項目とは異なるものであるが、検査結果階層化テーブル１１においては区別しない。検査（回答）結果２２は、検査項目２１に対する回答内容を階層化したものである。階層化フラグ２３は、検査（回答）結果２２の階層化を示すものであって、同一の検査項目２１内では一意に識別される番号である。
【００２３】
例えば、検査項目２１が「性別」、検査（回答）結果２２が「男」のレコードでは、階層化フラグ２３が「１」である。また、例えば、検査項目２１が「採光血圧」、検査（回答）結果２２が「１３０未満」のレコードでは、階層化フラグが「０」である。検査結果階層化テーブル１１には、後述する階層化データテーブル１３に関連する全ての健診者の属性、健康診断における検査項目に係るデータを登録しておく。
【００２４】
図３は、問診結果階層化テーブル１２に係るデータの一例を示す図である。図３に示すように、問診結果階層化テーブル１２は、問診項目３１、検査（回答）結果３２、階層化フラグ３３等のデータ項目を有する。
【００２５】
問診項目３１は、健診者に対する問診項目などである。検査（回答）結果３２は、問診項目３１に対する回答内容を階層化したものである。階層化フラグ３３は、検査（回答）結果３２の階層化を示すものであって、同一の問診項目３１内では一意に識別される番号である。
【００２６】
例えば、問診項目３１が「食事量」、検査（回答）結果３２が「少ない」のレコードでは、階層化フラグ３３が「０」である。また、例えば、問診項目３１が「外食」、検査（回答）結果３２が「少ない」のレコードでは、階層化フラグ３３が「０」である。問診結果階層化テーブル１２には、後述する階層化データテーブル１３に関連する全ての健診者に対する問診項目に係るデータを登録しておく。
【００２７】
図４は、階層化データテーブル１３に係るデータの一例を示す図である。図４に示すように、階層化データテーブル１３は、知識コード４１、性別４２、年代４３、ＢＭＩ４４、食事量４５、外食４６、２０歳体重４７、喫煙４８等のデータ項目を有する。
【００２８】
知識コード４１は、健診者を階層化するために検査結果および問診結果のパターンごとに付与されるコードである。性別４２、年代４３、ＢＭＩ４４等は、検査結果階層化テーブル１１に登録されている検査項目２１である。食事量４５、外食４６、２０歳体重４７、喫煙４８等は、問診結果階層化テーブル１２に登録されている問診項目３１である。
【００２９】
例えば、知識コード４１が「０００００１」のレコードでは、性別４２が「１」、年代４３が「１」、ＢＭＩ４４が「１」、食事量４５が「１」、外食４６が「１」、２０歳体重４７が「１」、喫煙４８が「１」である。また、例えば、知識コード４１が「０００００２」のレコードでは、性別４２が「１」、年代４３が「１」、ＢＭＩ４４が「１」、食事量４５が「０」、外食４６が「１」、２０歳体重４７が「１」、喫煙４８が「１」である。階層化データテーブル１３には、検査結果および問診結果の全てのパターンに係るデータを登録しておく。
【００３０】
図５は、発症割合格納テーブル１４に係るデータの一例を示す図である。図５に示すように、発症割合格納テーブル１４は、知識コード５１、該当者数５２、発症者数５３、発症割合５４等のデータ項目を有する。発症割合格納テーブル１４は、検査結果階層化テーブル１１に登録されている知識コード４１ごとに、過去の健診者の生活習慣病の発症割合が登録される。また、発症割合格納テーブル１４は、対象とする生活習慣病ごとに作成される。
【００３１】
知識コード５１は、検査結果階層化テーブル１１の知識コード４１と同一の意味のデータである。該当者数５２は、知識コード５１によって示される検査結果および問診結果のパターンに該当する過去の健診者数である。発症者数５３は、知識コード５１によって示される特定のパターンに該当し、かつ、対象とする生活習慣病を発症した過去の健診者数である。発症割合５４は、図５に示す例では、発症者数５３を該当者数５２で除し、１００を乗じ、小数点第１位を四捨五入した値である。尚、発症割合５４は、該当者数５２および発症者数５３を用いて簡単に算出できることから、発症割合格納テーブルに発症割合５４のデータ項目を含めなくても良い。
【００３２】
例えば、知識コード５１が「０００００１」のレコードでは、該当者数５２が「４３４５」、発症者数５３が「２２３２」、発症割合５４が「５１％」である。また、例えば、知識コード５１が「０００００２」のレコードでは、該当者数５２が「５４３２」、発症者数５３が「１１４３」、発症割合５４が「２１％」である。
【００３３】
図６は、改善生活習慣名称テーブル１５に係るデータの一例を示す図である。図６に示すように、改善生活習慣名称テーブル１５は、問診項目６１、改善生活習慣名称６２等のデータ項目を有する。
【００３４】
問診項目６１は、問診結果階層化テーブル１２の問診項目３１と同一の意味のデータである。改善生活習慣名称６２は、改善生活習慣として画面表示、印刷出力を行う際の名称である。
【００３５】
例えば、問診項目６１が「食事量」のレコードでは、改善生活習慣名称６２が「食事量を減らす」である。また、例えば、問診項目６１が「外食」のレコードでは、改善生活習慣名称６２が「外食を減らす」である。
【００３６】
前述した検査結果階層化テーブル１１、問診結果階層化テーブル１２、階層化データテーブル１３、発症割合格納テーブル１４、および改善生活習慣名称テーブル１５に係るデータは、データベースサーバ４の記憶部が保持する。
【００３７】
（３．健診システム１における各種処理）
次に、図７から図１２を参照しながら、健診システム１における処理の詳細について説明する。以下では、健診システムサーバ３、データベースサーバ４、及び保健指導支援システムサーバ７を区別せずに、これらの装置が行う処理を「サーバ」が行う処理として説明する。同様に、健診クライアント５、保健指導クライアント８、及びプリンタ９を区別せずに、これらの装置が行う処理を「クライアント」が行う処理として説明する。
【００３８】
図７は、発症割合表示画面の表示処理を示すフローチャートである。図７のフローチャートの前提として、クライアントは、サーバから対象の健診者の検査データ入力画面に係るデータを受信し、受診したデータを表示部に表示している。
【００３９】
図７に示すように、クライアントは、検査データが入力されて、送信命令が入力されると、入力された検査データをサーバに送信する（Ｓ１００１：検査データの入力）。
【００４０】
図８は、検査データ入力画面１０１の一例を示す図である。図８に示すように、検査データ入力画面１０１は、健診者属性情報表示エリア１０２、検査結果入力エリア１０３、問診結果入力エリア１０４、送信ボタン１０５、取消ボタン１０６等の画面項目を有する。
【００４１】
健診者属性情報表示エリア１０２は、健診者属性情報に関するデータを表示するエリアである。図８に示す例では、健診者属性情報表示エリア１０２には、健診者名、性別、生年月日、年齢、受診日、受診番号などを表示するためのボックスが表示されている。更に、ボックス内には健診者属性情報に関するデータの一例が表示されている。
【００４２】
検査結果入力エリア１０３は、検査項目に関するデータを入力するエリアである。図８に示す例では、検査結果入力エリア１０３には、身長、体重、ＢＭＩ、腹囲、血糖、ＨｂＡ１ｃなどの検査項目に関するデータを入力するためのボックスが表示されている。更に、ボックス内には検査結果の一例が入力されている。
【００４３】
問診結果入力エリア１０４は、問診項目に関するデータを入力するエリアである。図８に示す例では、問診結果入力エリア１０４には、食事量が多い、外食が多い、２０歳時体重増加などの問診項目に関するデータを入力するためのボックスが表示されている。更に、ボックス内には問診結果の一例が入力されている。
【００４４】
送信ボタン１０５は、入力された検査データをサーバに送信する送信命令を入力する。すなわち、送信ボタン１０５が押下されると、クライアントは、必要な入力チェックを行い、入力チェックに問題がなければ、入力された検査データをサーバに送信する。
【００４５】
取消ボタン１０６は、検査データ入力処理の取消命令を入力する。すなわち、取消ボタン１０６が押下されると、クライアントは、検査データ入力処理を取り消す旨のメッセージをサーバに送信する。この場合、サーバは、例えば、メニュー画面（図示せず）等に係るデータをクライアントに送信する。これによって、クライアント側では、メニュー画面に画面遷移する。
【００４６】
図７の説明に戻る。次に、サーバは、受診した検査データのうち、検査結果入力エリア１０３に入力されたデータを検索キーとして検査結果階層化テーブル１１を検索し、階層化フラグ２３の値を取得する（Ｓ１００２：検査結果の階層化）。また、サーバは、受診した検査データのうち、問診結果入力エリア１０４に入力されたデータを検索キーとして問診結果階層化テーブル１２を検索し、階層化フラグ３３の値を取得する（Ｓ１００３：問診結果の階層化）。
【００４７】
次に、サーバは、取得した階層化フラグ２３の値および階層化フラグ３３の値を検索キーとして階層化データテーブル１３を検索し（受診した検査データと階層化データとを照合し）、知識コード４１の値を取得する（Ｓ１００４：階層化データの照合）。
【００４８】
次に、サーバは、取得した知識コード４１の値を検索キーとして発症割合格納テーブル１４を検索し、発症割合５４の値を取得する（Ｓ１００５：発症割合の取得）。発症割合格納テーブル１４は、生活習慣病ごとに存在することから、Ｓ１００５の処理は、対象とする生活習慣病の分だけ行うことになる。
【００４９】
次に、サーバは、Ｓ１００４にて検索した階層化データテーブル１３のレコードの値を確認し、問診項目に係るデータ項目（図４の例では、食事量４５、外食４６、２０歳体重４７、喫煙４８等）の値が「１」であるものを改善生活習慣として取得する（Ｓ１００６：改善生活習慣の取得）。これは、値が「１」の問診項目については、悪い生活習慣を意味するものだからである。例えば、図４に示されている知識コード４１が「０００００１」のレコードは、食事量４５、外食４６、２０歳体重４７、喫煙４８の値が「１」である。この場合、少なくともこれら４つは悪い生活習慣とみなされ、改善生活習慣と判断される。
【００５０】
次に、サーバは、取得した改善生活習慣の順位付けを行う（Ｓ１００７：改善生活習慣の順位付け）。順位付けの処理は、図４に示されている知識コード４１が「０００００１」の場合を例として説明する。サーバは、４つの生活習慣をワークメモリ上に保持している。（１）最初に、サーバは、食事量４５が適切、すなわち、食事量４５の値が「０」、かつ、食事量４５以外の値は知識コード４１が「０００００１」と同じ値、とする検索キーを用いて階層化データテーブル１３を検索し、知識コード４１の値を取得する。図４の例では、サーバが取得する知識コード４１の値は「０００００２」である。（２）次に、サーバは、取得した知識コード４１の値を検索キーとして発症割合格納テーブル１４を検索し、発症割合５４の値を取得する。図５の例では、サーバが取得する発症割合５４の値は「２１％」である。（３）次に、サーバは、食事量４５以外の生活習慣である外食４６、２０歳体重４７、および喫煙４８に対しても、前述の（１）および（２）の処理を行う。図４、図５の例では、サーバが取得する発症割合５４の値は、外食４６（知識コード４１の値が「０００００３」）に対しては「２３％」、２０歳体重４７（知識コード４１の値が「０００００４」）に対しては「９％」、喫煙４８（知識コード４１の値が「０００００５」）に対しては「１５％」である。（４）次に、サーバは、取得した発症割合５４の値の昇順に、改善生活習慣を順位付けする。図４、図５の例では、２０歳体重４７が１位、喫煙４８が２位、食事量４５が３位、外食４６が４位である。このように、サーバは、生活習慣が適切だった場合の発症割合に基づいて、取得した改善生活習慣の順位付けを行う。
【００５１】
次に、サーバは、取得した改善生活習慣を検索キーとして階層化データテーブル１３を検索し（取得した改善生活習慣と問診項目６１とを照合し）、改善生活習慣名称６２の値を取得する（Ｓ１００８：改善生活習慣名称の取得）。そして、サーバは、取得した全てのデータを、表示画面に係るデータとともに、クライアントに送信する。尚、改善生活習慣名称６２の値は、例えば、上位３位までを送信するようにしても良い。一方、クライアントは、受診したデータを基に、発症割合等を表示する（Ｓ１００９：発症割合等の表示）。
【００５２】
図９は、発症割合表示画面２０１の一例を示す図である。図９に示すように、発症割合表示画面２０１は、発症割合比較表示エリア２０２、改善目標生活習慣選択エリア２０３、決定ボタン２０４、取消ボタン２０５等の画面項目を有する。
【００５３】
発症割合比較表示エリア２０２は、サーバから受信した生活習慣ごとの発症割合に関するデータを表示するエリアである。図９に示す例では、発症割合比較表示エリア２０２には、ＭｅｔＳ（メタボリックシンドローム）、糖尿病、高血圧、脂質異常症の発症割合が棒グラフで表示されている。
【００５４】
改善目標生活習慣選択エリア２０３は、サーバから受信した改善生活習慣名称６２の値に関するデータを表示するエリアである。図９に示す例では、目標生活習慣選択エリア２０３には、ＭｅｔＳに対応する改善生活習慣名称６２の値として、「２０歳時＋１０ｋｇ未満」、「食事量を減らす」、「よく噛んで食べる」がボタンとして表示されている。保健師、健診者などは、画面の内容を確認し、改善目標とする生活習慣（＝改善目標生活習慣）を相談しながら仮決定する。そして、保健師または健診者などは、仮決定した改善目標生活習慣に対応するボタンを押下することで、改善目標生活習慣を選択する。
【００５５】
決定ボタン２０４は、選択された改善目標生活習慣をサーバに送信する送信命令を入力する。すなわち、決定ボタン２０４が押下されると、クライアントは、選択された改善目標生活習慣をサーバに送信する。
【００５６】
取消ボタン２０５は、発症割合表示処理の取消命令を入力する。すなわち、取消ボタン２０５が押下されると、クライアントは、発症割合表示処理を取り消す旨のメッセージをサーバに送信する。この場合、サーバは、例えば、検査データ入力画面１０１等に係るデータをクライアントに送信する。これによって、クライアント側では、検査データ入力画面１０１に画面遷移する。
【００５７】
以上の通り、クライアントは、指導対象の健診者の検査結果および問診結果のパターンに基づく生活習慣病の発症割合、並びに、生活習慣病ごとに改善が必要な生活習慣である改善生活習慣をサーバから受信して表示する手段を具備する。また、クライアントは、改善生活習慣の中から改善目標とする生活習慣として仮決定された改善目標生活習慣を入力する手段を具備する。また、クライアントは、入力した改善目標生活習慣をサーバに送信する手段を具備する。
【００５８】
図１０は、改善目標生活習慣の決定処理を示すフローチャートである。図１０のフローチャートの前提として、クライアントは、図９に示した発症割合表示画面２０１を表示部に表示している。
【００５９】
図１０に示すように、クライアントは、仮決定した改善目標生活習慣に対応するボタンが押下されて、決定ボタンが押下されると、仮決定された改善目標生活習慣をサーバに送信する（Ｓ２００１：改善目標生活習慣の仮決定）。尚、改善目標生活習慣は、２つ以上選択しても良い。
【００６０】
次に、サーバは、受信した改善目標生活習慣に基づいて、改善後発症割合を取得する（Ｓ２００２：改善後発症割合の取得）。具体的には、サーバは、受信した改善目標生活習慣に対応する問診項目に係る階層化フラグの値を「０」としたデータを検索キーとして階層化テーブル１３を検索し、知識コード４１の値を取得する。これによって、サーバは、受信した改善目標生活習慣が適切だった場合の知識コード４１の値を取得する。更に、サーバは、取得した知識コード４１の値を検索キーとして発症割合格納テーブル１４を検索し、発症割合５４の値を取得する。このように取得した発症割合５４の値が、改善後発症割合の値である。
【００６１】
次に、サーバが取得した改善後発症割合を含むデータをクライアントに送信すると、クライアントは、発症割合を比較表示する（Ｓ２００３：発症割合の比較表示）。
【００６２】
図１１は、発症割合表示画面（目標決定）３０１の一例を示す図である。図１１に示すように、発症割合表示画面（目標決定）３０１は、発症割合比較表示エリア３０２、改善目標生活習慣選択エリア３０３、決定ボタン３０４、取消ボタン３０５等の画面項目を有する。
【００６３】
発症割合比較表示エリア３０２は、生活習慣ごとの改善前発症割合及び改善後発症割合に関するデータを表示するエリアである。図１１に示す例では、発症割合比較表示エリア３０２には、ＭｅｔＳ（メタボリックシンドローム）、糖尿病、高血圧、脂質異常症の改善前発症割合及び改善後発症割合が棒グラフで表示されている。
【００６４】
改善目標生活習慣選択エリア３０３は、改善生活習慣名称６２の値に関するデータを表示するエリアである。図１１に示す例では、改善目標生活習慣選択エリア２０３には、ＭｅｔＳに対応する改善生活習慣名称６２の値として、「２０歳時＋１０ｋｇ未満」、「食事量を減らす」、「よく噛んで食べる」がボタンとして表示されている。更に、「２０歳時＋１０ｋｇ未満」、「よく噛んで食べる」に係るボタンは、網掛け表示、すなわち押下された状態として表示されている。図１１に示すように、改善目標生活習慣は、生活習慣病ごとに複数選択可能に構成されている。尚、例えば、図１１に示す「２０歳時＋１０ｋｇ未満」のボタンのように、ＭｅｔＳ（メタボリックシンドローム）及び糖尿病の両方に表示されている場合、一方のボタンが押下されると、他方のボタンも連動して押下されるように構成されている。
【００６５】
図１１に示す例では、例えば、「２０歳時＋１０ｋｇ未満」および「よく噛んで食べる」を実行して生活習慣が改善したきのＭｅｔＳ（メタボリックシンドローム）の改善後発症割合が表示されている。また、例えば、「２０歳時＋１０ｋｇ未満」を実行して生活習慣が改善したきの糖尿病の改善後発症割合が表示されている。このように、健診者は、生活習慣が改善したとき、それぞれの生活習慣病が発症するリスクがどの程度抑えられるかを確かめることができる。これによって、健診者は、主観的にどの生活習慣を改善するかを決定することができる。ひいては、健診者に対して、生活習慣の改善に向けて強い動機を与えることができることになる。
【００６６】
決定ボタン３０４は、選択されている改善目標生活習慣をサーバに送信する送信命令を入力する。すなわち、決定ボタン２０４が押下されると、クライアントは、選択されている改善目標生活習慣をサーバに送信する。ここで送信される改善目標生活習慣は、改善目標とする生活習慣として最終決定された改善目標生活習慣として扱われる。
【００６７】
取消ボタン３０５は、発症割合比較表示処理の取消命令を入力する。すなわち、取消ボタン３０５が押下されると、クライアントは、発症割合比較表示処理を取り消す旨のメッセージをサーバに送信する。この場合、サーバは、例えば、発症割合表示画面２０１等に係るデータをクライアントに送信する。これによって、クライアント側では、発症割合表示画面２０１に画面遷移する。
【００６８】
図１０の説明に戻る。次に、クライアントは、発症割合表示画面（目標決定）３０１の決定ボタン３０４が押下されると、前述のとおり、選択されている改善目標生活習慣を、最終決定された改善目標生活習慣としてサーバに送信する（Ｓ２００４：改善目標生活習慣の最終決定）。
【００６９】
次に、サーバは、最終決定された改善目標生活習慣を受信し、対象の健診者を特定可能な情報（健診者番号など）及び受信日の情報と紐付けて記憶部に保存する（Ｓ２００５：改善目標生活習慣の保存）。
【００７０】
以上のとおり、サーバは、クライアントから受信した改善目標生活習慣が改善された場合の発症割合である改善後発症割合を取得する手段を具備する。また、サーバは、取得した改善後発症割合をクライアントに送信する手段を具備する。また、クライアントは、受信した改善後発症割合を表示する手段を具備する。また、クライアントは、改善生活習慣の中から改善目標とする生活習慣として最終決定された改善目標生活習慣を入力する手段を具備する。また、クライアントは、入力された改善目標生活習慣をサーバに送信する手段を具備する。また、サーバは、クライアントから受信した改善目標生活習慣を、最終決定された改善目標生活習慣として保存する手段を具備する。
【００７１】
図１２は、計画表の出力処理を示すフローチャートである。図１２のフローチャートの前提として、サーバは、最終決定された改善目標生活習慣を記憶部に保存している。
【００７２】
図１２に示すように、クライアントは、最終決定された改善目標生活習慣を含むデータをサーバから受信し、行動目標・計画表設定画面を表示する（Ｓ３００１：行動目標・計画表設定画面の表示）。
【００７３】
図１３は、行動目標・計画表設定画面４０１の一例を示す図である。図１３に示すように、行動目標・計画表設定画面４０１は、健診者属性情報表示エリア４０２、行動目標表示エリア４０３、登録ボタン４０４、印刷ボタン４０５、取消ボタン４０６等の画面項目を有する。
【００７４】
健診者属性情報表示エリア４０２は、健診者属性情報に関するデータを表示するエリアである。図１３に示す例では、健診者属性情報表示エリア１０２には、健診者名、性別、生年月日、年齢、受診日、受診番号などを表示するためのボックスが表示されている。更に、ボックス内には健診者属性情報に関するデータの一例が表示されている。
【００７５】
行動目標表示エリア４０３は、行動目標として、最終決定された改善目標生活習慣に関するデータを表示するエリアである。図１３に示す例では、「２０歳時＋１０ｋｇ未満にする」、「よく噛んで食べる」、「飲酒量を減らす」、「外食を減らす」などの行動目標が表示されている。また、行動目標表示エリア４０３は、保健師などのコメントをテキストデータとして入力するエリアでもある。保健師などは、適宜表示されている行動目標を修正するとともに、コメントなどを入力する。
【００７６】
登録ボタン４０４は、行動目標表示エリア４０３に入力されているコメントをサーバに送信する送信命令を入力する。すなわち、登録ボタン４０４が押下されると、クライアントは、入力されているコメントをサーバに送信する。一方、サーバは、受信したコメントを記憶部に保存する。
【００７７】
印刷ボタン４０５は、計画表を印刷する印刷命令を入力する。すなわち、印刷ボタン４０５が押下されると、クライアントは、表示されている内容に関するデータをプリンタ等の印刷装置に送信し、印刷装置が受信したデータを計画表として印刷する。
【００７８】
取消ボタン４０６は、行動目標・計画表設定画面の表示処理の取消命令を入力する。すなわち、取消ボタン４０６が押下されると、クライアントは、行動目標・計画表設定画面の表示処理を取り消す旨のメッセージをサーバに送信する。この場合、サーバは、例えば、メニュー画面（図示しない）等に係るデータをクライアントに送信する。これによって、クライアント側では、メニュー画面に画面遷移する。
【００７９】
図１２の説明に戻る。次に、クライアントは、保健師などが必要に応じて追記したコメントを入力する（Ｓ３００２：コメントの追記）。そして、クライアントは、行動目標・計画表設定画面４０１の登録ボタン４０４が押下されると、入力されているコメントをサーバに送信し、サーバは記憶部に保存する（Ｓ３００３：コメントの保存）。最後に、クライアントは、行動目標・計画表設定画面４０１の印刷ボタン４０５が押下されると、計画表を印刷する（Ｓ３００４：計画表の印刷）。
【００８０】
以上のとおり、サーバは、受信した改善目標生活習慣を反映した行動目標をクライアントに送信する手段を具備する。また、クライアントは、サーバから受信した行動目標を表示する手段を具備する。また、クライアントは、表示されている行動目標を計画表として出力する手段を具備する。出力する手段は、印刷を例として説明したが、ネットワークを介して、他のコンピュータに送信しても良いし、外部記憶媒体に出力しても良い。
【００８１】
本発明の実施の形態に係る健診システム１によって、健診者の意思を反映した計画表を容易に出力することができる。特に、健診施設２に健診システム１を導入することによって、保健師などが行う健診者指導を支援し、保健師の負荷を軽減することができるとともに、健診者の意思を尊重して行動目標を立案し、計画表として出力することができる。
【００８２】
以上、添付図面を参照しながら、本発明に係る健診システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００８３】
【図１】健診システム１の概略構成を示す図
【図２】検査結果階層化テーブル１１に係るデータの一例を示す図
【図３】問診結果階層化テーブル１２に係るデータの一例を示す図
【図４】階層化データテーブル１３に係るデータの一例を示す図
【図５】発症割合格納テーブル１４に係るデータの一例を示す図
【図６】改善生活習慣名称テーブル１５に係るデータの一例を示す図
【図７】発症割合表示画面の表示処理を示すフローチャート
【図８】検査データ入力画面１０１の一例を示す図
【図９】発症割合表示画面２０１の一例を示す図
【図１０】改善目標生活習慣の決定処理を示すフローチャート
【図１１】発症割合表示画面（目標決定）３０１の一例を示す図
【図１２】計画表の出力処理を示すフローチャート
【図１３】行動目標・計画表設定画面４０１の一例を示す図
【符号の説明】
【００８４】
１………健診システム
２………健診施設
３………健診システムサーバ
４………データベースサーバ
５………健診クライアント
６………ネットワーク
７………保健指導支援システムサーバ
８………保健指導クライアント
９………プリンタ
１０………ネットワーク
１１………検査結果階層化テーブル
１２………問診結果階層化テーブル
１３………階層化データテーブル
１４………発症割合格納テーブル
１５………改善生活習慣名称テーブル
１０１………検査データ入力画面
２０１………発症割合表示画面
３０１………発症割合表示画面（目標決定）
４０１………行動目標・計画表設定画面
【図１】
2009265861.tif 000003
【図２】
2009265861.tif 000004
【図３】
2009265861.tif 000005
【図４】
2009265861.tif 000006
【図５】
2009265861.tif 000007
【図６】
2009265861.tif 000008
【図７】
2009265861.tif 000009
【図８】
2009265861.tif 000010
【図９】
2009265861.tif 000011
【図１０】
2009265861.tif 000012
【図１１】
2009265861.tif 000013
【図１２】
2009265861.tif 000014
【図１３】
2009265861.tif 000015